(57)【特許請求の範囲】
【請求項１】
ライニングの前面にボウル部が設けられた汚物流しユニットであって、
前記ボウル部で吐水が受けられる位置に前記ライニングから引き出し可能に設けられたホース付きのスパウトと、
前記ライニング内で前記スパウトの後方側に配置される立体物を支持する立体物支持部と、
前記立体物支持部に支持された立体物の下方位置に配置され前記ホースからの滴を受ける水受けトレイと、
前記ライニング内に押し戻された前記ホースを、前記水受けトレイの上部開口に向かうようにガイドするガイド部とを備え、
前記水受けトレイは、前記下方位置において、前記立体物の平面投影に前記水受けトレイ外形の平面投影が部分的に重複するように配置され、
前記ガイド部は、自己の下方端と前記水受けトレイの上部開口との間に一定のスペースが確保されるように配設され、
前記立体物支持部に支持された立体物は洗浄水タンクであり、前記洗浄水タンクから下方に延長され前記水受けトレイの下方を巡って前方に曲げられて前記ボウル部に接続される排水管が更に配設されている
汚物流しユニット。
【請求項２】
前記水受けトレイは、前記立体物支持部に支持された立体物の下方位置に棚板を持つ棚に載置されている請求項１に記載の汚物流しユニット。
【請求項３】
前記ガイド部は、前記ホースを前記立体物の下方にガイドする請求項１または２に記載の汚物流しユニット。
【請求項４】
前記ホースの屈曲状態の変化を規制するホースガイド部材が、更に設けられている請求項１から３の何れかに記載の汚物流しユニット。
【発明の詳細な説明】
【技術分野】
【０００１】
本発明は、オストメイト用流し等の汚物流し設備を含む汚物流しユニットに関する。
【背景技術】
【０００２】
直腸がんや膀胱がん、或いは、事故等により、臓器に機能障害を負い、腹部に人工的に排泄のためのストーマ（腹部に造設された排泄口）を造設した人は一般にオストメイトと呼ばれる。オストメイトは、日常の排泄行為には様々な苦労がある。近年、オストメイトがパウチ（ストーマからの便や尿を受ける袋）に溜めた便等の排泄物を円滑に流したり、ストーマを洗浄したりすることができる汚物流しユニットが公共施設の多目的室内等に設置されるに至っている。
【０００３】
上述のような汚物流しユニットについて、その細部の使い勝手を改善する提案もなされている（例えば、特許文献１参照）。特許文献１所載の汚物流しユニットでは、ボウル部の形状が汚水の飛散の少ないものに改良され、また、水栓金具類の形状やレイアウトについても改善がなされている。
【０００４】
汚物流しユニットではホース付きの水栓が設けられるのが一般的であるが、汚物流しユニットの場合に限らず、ホース付きの水栓では、このホースを伝わって滴下する水を貯留するために水受けトレイを設けることも多く行われている。洗面化粧台等においても、このような水受けトレイを設ける構造の提案がある（例えば、特許文献２参照）。
【先行技術文献】
【特許文献】
【０００５】
【特許文献１】特開２０１２−１００９４１号公報
【特許文献２】特開２０１０−７５５９４号公報
【発明の概要】
【発明が解決しようとする課題】
【０００６】
特許文献１の汚物流しユニットはキャビネット（ライニング）の壁面にボウル部を設置し、長尺のホースに接続されたスパウトを、キャビネットから引き出して用いることが可能な構成が採られている。しかしながら、特許文献１には、ホースを伝わって滴下する滴を貯留するために水受けトレイを設けることについては開示されていない。
【０００７】
一方、特許文献２の洗面化粧台における水受けトレイでは、鉛直方向に長い背高の箱状のホースガイド下部を水受けトレイに上方から差し込んで嵌合させ、このホースガイドで長尺のホースを水受けトレイに導くようにしている。従って、特許文献２の水受けトレイを、特許文献１の汚物流しユニットのスペースに乏しいライニング内に設置することは単純にできることではない。
特に、汚物流しユニットの洗浄水の供給がタンク式である場合には、ライニング内の上方スペースが、水受けトレイの設置にとっては障害物となる洗浄水タンクによって占有されざるを得ず、水受けトレイの設置は一層難しい課題となる。
【０００８】
この状況にあって、水受けトレイを奥行寸法が小さい薄型形状にして、これをライニングの前板と洗浄水タンクとの間の狭いスペースに収納することも考えられる。この場合、メンテナンスに際して水受けトレイを取り出すには、ホースの受け口が横向きになるほど大きく傾けたり、傾けたままの姿勢で移動軌跡がカーブを描くように動かしたりして、狭いスペース内を伝って、障害物を回避しながら漸く取り出せることになる。
このため、取り出し作業に先立って水切りをしておくことが欠かせず、水受けトレイとしては底部に水切り用のパイプが下方に延びた特殊なものを用いなくてはならない。
仮に、このような特殊な水受けトレイを適用したとしても、取り出しに先立って、水切り用のパイプから滞留した水を抜き取らねばならず、抜き取った水を受ける容器の準備や複雑な取り回し等々作業が煩雑である。
【０００９】
本発明は、上記事情に鑑みてなされたものであり、ライニングの壁面にボウル部を設置する形式を採りつつも、水受けトレイの取り回しが容易な汚物流しユニットを提供することを目的とする。
【課題を解決するための手段】
【００１０】
上記目的を達成するべく、ここに、次のような技術を対案する。
【００１１】
ライニングの前面にボウル部が設けられた汚物流しユニットであって、前記ボウル部で吐水が受けられる位置に前記ライニングから引き出し可能に設けられたホース付きのスパウトと、前記ライニング内で前記スパウトの後方側に配置される立体物を支持する立体物支持部と、前記立体物支持部に支持された立体物の下方位置に配置され前記ホースからの滴を受ける水受けトレイと、前記ライニング内に押し戻された前記ホースを、前記水受けトレイの上部開口に向かうようにガイドするガイド部と、を備えた汚物流しユニット。
【００１２】
上記汚物流しユニットでは、前記水受けトレイは、少なくとも部分的に前記立体物の下方に位置するようにして配されていることは好ましい。
【００１３】
また、上記汚物流しユニットでは、前記水受けトレイは、前記立体物支持部に支持された立体物の下方位置に棚板を持つ棚に載置されていることは好ましい。
【００１４】
また、上記汚物流しユニットでは、前記ガイド部は、前記ホースを前記立体物の下方にガイドするように構成されていることは好ましい。
【００１５】
また、上記汚物流しユニットでは、前記ホースの屈曲状態の変化を規制するホースガイド部材が、更に設けられていることは好ましい。
【発明の効果】
【００１６】
本発明によれば、ライニングの壁面にボウル部を設置する形式を採りつつも、水受けトレイの取り回しが容易な汚物流しユニットが具現される。
【図面の簡単な説明】
【００１７】
【図１】本発明の一実施形態としての汚物流しユニットを示す斜視図である。
【図２】図１の汚物流しユニットのライニングを正面視した図である。
【図３】図１の汚物流しユニットのライニング内の構造を側面視した図である。
【図４】図１の汚物流しユニットに適用される水受けトレイを示す図である。
【発明を実施するための形態】
【００１８】
以下、図面を参照しながら本発明の実施形態について詳述することにより本発明を明らかにする。
【００１９】
図１は、本発明の一実施形態としての汚物流しユニットを示す斜視図である。
図１では、汚物流しユニット１のライニング１０内の構造を理解し易くするため、上面の甲板や前板の一部は未装着の状態で示してある。尚、以下の説明において、左右の向きは、ライニング１０の前面１０ａに正対する視座から見たものとし、上下の向きは、略鉛直方向に沿った上下の向きの意である。
本実施形態の汚物流しユニット１は、ライニング１０の前面にボウル部２が設けられている。
このボウル部２で吐水が受けられる位置に、ライニング１０から引き出し可能にホース２１付きのスパウト２０が設けられている。
また、ライニング１０内で後述する洗浄水タンクに相当する空間を占有する立体物（本実施形態では図２及び図３の洗浄水タンク５０自体）を支持する立体物支持部４０が、ライニング１０内のボウル部２上部開口２ａ縁部の高さよりも高い位置に設けられている。
この立体物支持部４０に支持された立体物（本例では洗浄水タンク５０）の下方位置（図２、図３参照）に、ホース２１からの滴を受ける水受けトレイ６０が設けられている。
水受けトレイ６０は後述する載置板８１を棚板とする棚に載置される。
更に、引き出された状態からライニング１０内に押し戻されたホース２１を、水受けトレイ６０の上部開口６１に向かうようにガイドするガイド部７０が設けられている。
また、ホース２１の屈曲状態の変化を規制するホースガイド部材２４、２５がライニング１０内に設けられている。
【００２０】
本例の汚物流しユニット１では、スパウト２０よりも右側のライニング１０内に電気温水器３０が設けられ、ここからスパウト２０に温水を供給することができる。
次に、図１に図２及び図３を併せ参照して汚物流しユニット１につき更に詳述する。
【００２１】
図２は、図１の汚物流しユニット１のライニング１０を正面視し内部構造を破線図示した図であり、図３は、上記構造を側面視した図である。
図２及び図３において、図１との対応部には同一の符号を附してある。
ライニング１０の前面１０ａは、ボウル部２が前面に取付けられる主前板１１で覆われ、右側面は側板１２で覆われている。この主前板１１には、ボウル部２の上部開口２ａの後縁部中央上方にスパウト２０の、例えば、フレキシブル金属ホースであるホース２１をガイドするガイド管２２が設置されている。
主前板１１にはまた、ガイド管２２の右側にスパウト２０からの水の吐出を開始及び閉止させると共に、吐水の水量と温度を調節するための操作ハンドル２３が設けられている。この操作ハンドル２３自体は、混合水栓におけるものと同様の一般的なものである。
また、図２の如く、ライニング１０の前面１０ａの主前板１１の右側には副前板１３が設けられ、ライニング１０内に収納された電気温水器３０を覆っている。副前板１３は図示しない引掛け金具により、その取付け及び取外しは極めて容易である。更に、ライニング１０の上方は甲板１４で覆われる。
【００２２】
ライニング１０は、その骨格を成す構造材である各複数の縦フレーム４１０及び横フレーム４２０を含む金属製のフレーム４００によって、その外形が保たれ、所要の剛性及強度が確保されている。ボウル部２の主前板１１への取付けも、主前板１１背後のフレーム４００への連結によって所要の強度が確保されている。
複数の縦フレーム４１０のうち主前板１１の左右両側方裏側の２本の縦フレーム４１０の中間よりも上方位置、即ち、ボウル部２上部開口２ａの後方縁部より僅かに上方の高さ位置から、それぞれ、後方に向けて平行に延出した、左右の各支持アーム４３０が設けられている。
各支持アーム４３０は、それらが延出する基部において、各対応する縦フレーム４１０に溶接等により十分な強度で接合されている。
【００２３】
左右の各支持アーム４３０に左右両端縁がかかるようにして金属板である支持板４１が差し渡されている。この支持板４１は、立体物である洗浄水タンク５０を上面に支持する部材であり、既述の立体物支持部４０の主要な構成要素をなしている。この支持板４１は、洗浄水タンク５０の奥行寸法に概略相当する奥行寸法を有し、後方端縁が洗浄水タンク５０の後方端位置に略一致する配置で、左右両端縁が各支持アーム４３０に溶接等により接合されている。
【００２４】
支持板４１の後方端縁側は、この支持板４１をなす金属板が左右両端間に亘って下方に折り曲げられて一定の上下方向寸法の折り曲げ部４２をなしている。即ち、この立体物支持部４０は、この折り曲げ部４２によって、支持板４１にかかる洗浄水タンク５０からの荷重に対し、たわみを生じないだけの十分な剛性が確保されている。
洗浄水タンク５０はその底部中央の排水フランジ５１と排水フランジ５１の左右両側方の各スペーサ部材５２とが支持板４１に当接するようにして支持板４１上に載置され、例えば、図示しない長尺のボルトとナットで支持板４１に固定される。そして、排水フランジ５１から下方に延長された排水管５３が、水受けトレイ６０の下方を巡って前方に曲げられ、ボウル部２に接続されている。
【００２５】
本実施形態では、支持板４１の前方端縁側と主前板１１の背面側との間に一定の空間が確保され、この空間を通して、既述のガイド部７０が、ライニング１０内に押し戻されたホース２１を、水受けトレイ６０の上部開口６１に向かうようにガイドする。
【００２６】
このガイド部７０は、金属板を折り曲げて成形された板材であり。水受けトレイ６０の上部開口６１の上方で、基部側がスペーサ４４０（図３）を介して対応する縦フレーム４１０にねじ止め等により取付けられている。そして、板材であるガイド部７０は、この基部側から鉛直下方に立体物である洗浄水タンク５０の底部近傍の高さ位置まで垂下する鉛直板部７１と、この鉛直板部７１下端に連なって、支持板４１の前端縁に向けて傾斜しながら下降して支持板４１よりも下方に至る傾斜板部７２と、傾斜板部７２に連なって短く水平後方に延長した水平板部７３とを含むように成形されている。水平板部７３と水受けトレイ６０の上部開口６１の縁部との間には図示のとおり一定のスペースが確保されている。即ち、ガイド部７０は水受けトレイ６０には接続されず離間している。
【００２７】
本実施形態では、ガイド部７０の他に、ホース２１の屈曲状態の変化を規制する第１のホースガイド部材２４及び第２のホースガイド部材２５が、更に設けられている。
第１及び第２のホースガイド部材２４及び２５は、ホースクリップ等とも称される同種のものであり、少なくともガイド孔の内面が、例えば、樹脂等による平滑面として形成された、それ自体は一般的なものである。第１及び第２のホースガイド部材２４及び２５は、フレーム４００等の固定部材にねじ止め等により取付けられる。
図１及び図２を参照して容易に理解される通り、第１ホースガイド部材２４は、ライニング１０内の主前板１１の裏面側で、洗浄水タンク５０の左下方に当たる高さの位置に設けられている。この位置は、水受けトレイ６０の左側上方位置であり上部開口６１とは一定の間隔を空けて設定されている。このため、ホース２１が無理に屈曲されることなく湾曲部分が水受けトレイ６０内に円滑にガイドされる。また第２のホースガイド部材２５は、ライニング１０内の主前板１１の裏面側で、洗浄水タンク５０の中央上方に当たる高さの位置に設けられている。
第１ホースガイド部材２４は、ホース２１を鉛直方向に挿通させて、引き出しや押し戻しによる屈曲状態の変化によらず、ホース２１が第１ホースガイド部材２４を鉛直方向に通るように規制する。これにより、ホース２１がライニング１０内の限られたスペースで無軌道に湾曲して他部との無用な干渉を生じるようなことが回避される。
第２のホースガイド部材２５は、上述のように第１ホースガイド部材２４よりも高い位置にあって、ホース２１を水平方向に挿通させて、第１ホースガイド部材２４よりも高所で、同様にホース２１の屈曲状態を規制する。
尚、第１ホースガイド部材２４には、ホース２１の外周に装着されたストッパー２６が当接して、ホース２１の引き出し長さが規制される。
【００２８】
引き出された状態からライニング１０内に押し戻されたホース２１は、ガイド部７０の傾斜板部７２により下方に案内されて、水受けトレイ６０の上部開口６１に向けて曲げられるようにしてガイドされる。上述のように、ガイド部７０の水平板部７３の後端縁は、水受けトレイ６０の上部開口６１の最奥部位置６２に及んでおり、傾斜板部７２と水平板部７３との協働により、ホース２１を、水受けトレイの最奥部位置６２までガイドする。
更に、既述のように、水平板部７３と水受けトレイ６０の上部開口６１の縁部との間には一定のスペースが確保されているため、水受けトレイ６０の取り出しが容易である。
この場合、傾斜部７２自体は水受けトレイの最奥部位置６２までは延伸せず、その手前位置に留まってホース２１を下方にガイドするように形成されている。このため、水平板部７３と水受けトレイ６０の上部開口６１の縁部との間に一定のスペースがあっても、ホース２１をトレイの最奥部位置６２の手前で確実に水受けトレイ６０内へとガイドすることができる。
このとき、ホース２１は、第１ホースガイド部材２４によって、湾曲による変形軌跡が無軌道に水平方向に広がらず一定範囲に収まるようにガイドされる。即ち、ガイド部７０によるホース２１のガイドは、第１ホースガイド部材２４によるガイド作用が加わって、一層効果的なものとなる。
このため、ホース２１は確実に水受けトレイ６０内に案内され、ホース２１からの滴が水受けトレイ６０外に飛散することが回避される。
尚、ガイド部７０は、水平板部７３を持たない態様を採ることも可能である。更に、上述における傾斜部７２は全体として板材であるガイド部７０の一部をなす板状体であったが、これに限定されるものではなく、既述のガイド機能を満たす他の形状を採り得る。
【００２９】
一方、水受けトレイ６０は、水受けトレイ載置部８０に載置されて、立体物支持部４０に支持された立体物（本例では洗浄水タンク５０）の下方位置に配置され、ホース２１からの滴を受ける。ここに、上記における下方位置とは、図２及び図３を参照して理解されるように、この位置において、立体物の平面投影に水受けトレイ６０外形の平面投影が部分的に重複する位置である。水受けトレイ６０は、立体物に対して、上下及び前後左右方向においてこのような相対位置を採って、奥行寸法が制限されたライニング１０内で立体物との干渉を避けつつ周囲のスペースに余裕を残して配置することができる。このため、水受けトレイ６０の取り回しが良好である。
尚、可能な場合には、立体物の平面投影内に水受けトレイ６０外形の平面投影が収まるように配置してもよい。この場合も、水受けトレイ６０を、周囲のスペースに余裕を残して配置することができ、水受けトレイ６０の取り回しが良好である。
水受けトレイ載置部８０について、図３に図４を併せ参照して更に詳述する。
【００３０】
図４は、図１の汚物流しユニット１に適用される水受けトレイ６０を拡大して示す図であり、水受けトレイ載置部８０も共に図示されている。
水受けトレイ載置部８０は、金属製の載置板８１を主要な部材として構成された棚を成している。この載置板８１の前縁側及び後縁側には、それぞれ上方に直角に折り曲げて起立させた前側起立部８１Ｆ及び後側起立部８１Ｂが略全幅に亘って水受けトレイ６０の深さの半分以下の高さに形成されている。また載置板８１の左側縁側及び右側縁側には、それぞれ上方に直角に折り曲げて起立させた左側起立部８１Ｌ及び右側起立部８１Ｒが各側縁よりも若干短い範囲で前後側の起立部８１Ｆ及び８１Ｂよりも低い高さに形成されている。
載置板８１上に載置された水受けトレイ６０は、これら前後側の起立部８１Ｆ及び８１Ｂと左右側の起立部８１Ｌ及び８１Ｒによって、載置板８１の主面方向の移動が規制されて安定的にその載置位置を維持できる。
【００３１】
図３を参照すると、ボウル部２上部開口２ａの後方縁部より僅かに上方の高さ位置の横フレーム４２０から下方に垂下するようにして角柱状の２本の垂直支持部材４５０が設けられている。図３では一方の垂直支持部材４５０の側面が見ているが、双方の垂直支持部材４５０の水平方向の間隔は、両者が対向する面とは反対側の各外側面間で見て、載置板８１の幅寸法と略等しい。また、これら２本の垂直支持部材４５０の水平方向の位置は、両者間の中央位置がスパウト２０が引き出されるガイド管２２の中心と略一致する位置である。
【００３２】
載置板８１は、その前側起立部８１Ｆの両側方で２本の垂直支持部材４５０に溶接等によって接合され、この載置板８１を棚板とする棚を構成している。
水受けトレイ６０は、この棚（その載置板８１）に載置される。この結果、水受けトレイ６０は、その上部開口６１が少なくとも部分的に立体物（本例では洗浄水タンク５０）の下方に位置するようにして配されることになる。
このため、水受けトレイ６０を、固定された何れの部材との干渉も避けて配置できると共に、その配置は、周囲のスペースに余裕を生じさせる。従って、取付け及び取外しが極めて容易なライニング１０の副前板１３を取り外して、図１に示されたような状態で、右方から手を廻して容易に水受けトレイ６０を取り出すことが可能である。この場合、既述の従来の装置におけるように、水受けトレイ６０の姿勢を大きく傾けたり、傾けたままの姿勢で移動軌跡がカーブを描くように動かしたりして、狭いスペース内を伝って、障害物を回避しながら取り出すといった必要もない。従って、水受けトレイ６０に滞留した水を予め排出することなく取り出し作業を行える。このため、水受けトレイ６０を水切り用のパイプの付いた特殊なものとする必要もない。
【００３３】
水受けトレイ６０は概略直方体状の例えば、樹脂製の容器であり、その収容部の奥行寸法Ｄよりも幅寸法Ｗが大きい形状に成形されている。このため、特に奥行方向のスペースが限定されたライニング１０内においても、幅寸法Ｗを大きくして、収容容積を大きくし、スパウト２０のホース２１を比較的緩やかな曲率で曲げられた姿で無理なく収容することが可能である。また、このように、ホース２１を比較的緩やかな曲率で曲げられるため、ホース２１の引き出しや押し戻しの操作に際しての抵抗が少なく、操作を極めてスムーズに行えるため、スパウト２０の操作感が良好である。
【００３４】
以上、図面を参照して説明した本発明の実施形態によれば、次のような効果を奏する。
【００３５】
即ち、本実施形態の汚物流しユニット１は、ライニング１０の前面１０ａにボウル部２が設けられ、ボウル部２で吐水が受けられる位置に、ライニング１０から引き出し可能にホース２１付きのスパウト２０が設けられている。そして、ライニング１０内には、スパウト２０の後方側に配置される立体物（上述の例では洗浄水タンク５０自体）を支持する立体物支持部４０と、立体物支持部４０に支持された立体物（洗浄水タンク５０）の下方位置に配置されホース２１からの滴を受ける水受けトレイ６０と、ライニング１０内に押し戻されたホース２１を、水受けトレイ６０の上部開口に向かうようにガイドするガイド部７０と、を備えている。尚、ここでの下方位置については先に詳述したところと同義である。
【００３６】
本実施形態の汚物流しユニット１は、上述のように構成されているため、水受けトレイ６０を固定された何れの部材との干渉も避けて配置できると共に、その配置は、周囲のスペースに余裕を生じさせる。従って、ライニング１０の壁面（主前板１１）にボウル部２を設置する形式を採りつつも、水受けトレイ６０の取り回しが容易な汚物流しユニット１が具現される。
【００３７】
また、汚物流しユニット１では、水受けトレイ６０は、少なくとも部分的に立体物（洗浄水タンク５０）の下方に位置するようにして配されていることは好ましい。
【００３８】
この場合は、水受けトレイ６０を固定された何れの部材との干渉も避けて配置できると共に、その配置は、周囲のスペースに余裕を生じさせる。従って、ライニング１０の副前板１３を取り外した図１に示された状態で、右方から手を廻して容易に水受けトレイ６０を取り出すことが可能であり、水受けトレイ６０の取り回しが良好である。
更に、特に奥行方向のスペースが限定されたライニング１０内においても、水受けトレイ６０の幅寸法Ｗを大きくして、収容容積を大きくし、スパウト２０のホース２１を比較的緩やかな曲率で曲げられた姿で無理なく収容することが可能である。このため、ホース２１の引き出しや押し戻しの操作に際しての抵抗が少なく、操作を極めてスムーズに行えるため、スパウト２０の操作感が良好である。
【００３９】
また、汚物流しユニット１では、水受けトレイ６０は、立体物支持部４０に支持された立体物の下方位置に棚板（載置板８１）を持つ棚に載置されていることは好ましい。
この構成によれば、水受けトレイ６０を容易に取り出すことが可能であり、水受けトレイ６０の取り回しが極めて良好である。尚、ここでの下方位置についても先に詳述したところと同義である。
【００４０】
また、汚物流しユニット１では、ガイド部７０は、ホース２１を、立体物（上述の例では洗浄水タンク５０自体）の下方にガイドするように構成されていることは好ましい。
この構成によれば、ホース２１は確実に水受けトレイ６０内に案内され、ホース２１からの滴が水受けトレイ６０外に飛散することが確実に回避される。
【００４１】
また、汚物流しユニット１では、ホース２１の屈曲状態の変化を規制するホースガイド部材（第１ホースガイド部材２４）が、更に設けられていることは好ましい。
この構成によれば、ホースガイド部材２４によって、ホース２１の湾曲による変形軌跡が無軌道に水平方向に広がらず一定範囲に収まるようにガイドされ、ガイド部７０によるホース２１のガイドは、第１ホースガイド部材２４によるガイド作用が加わって、一層効果的なものとなる。
【００４２】
以上、図面を参照して本発明の一実施形態について詳述したが、本発明は、上述の実施形態に限られるものではなく、種々変形変更して実施可能である。
例えば、ライニング１０は、内部上方に配置される立体物が洗浄水タンク５０である場合に限られず、物品の収納棚を構成する箱体であってもよい。
また、ガイド部７０はその鉛直板部７１の基部側がスペーサ４４０を介して縦フレーム４１０に取付けられているが、この取付は、例えば、洗浄水タンク５０や、洗浄水タンク５０に替えて上述のように配置される物品の収納棚を構成する箱体に対して行ってもよい。
また、水受けトレイ６０にガイド部７０又はガイド部７０の一部を設けた態様も本発明に含まれる。
【符号の説明】
【００４３】
１        汚物流しユニット
２        ボウル部
１０      ライニング
１１      主前板
１２      副前板
２０      スパウト
２１      ホース
２４      第１のホースガイド部材
２５      第２のホースガイド部材
３０      電気温水器
４０      立体物支持部
４１      支持板
５０      洗浄水タンク（立体物）
６０      水受けトレイ
６２      最奥部位置
７０      ガイド部
８０      水受けトレイ載置部
８１      載置板
４００    フレーム
４１０    縦フレーム
４２０    横フレーム
４３０    支持アーム
４４０    スペーサ
４５０    垂直支持部材
【図１】
0006491453.tif 000002
【図２】
0006491453.tif 000003
【図３】
0006491453.tif 000004
【図４】
0006491453.tif 000005